(57)【要約】【課題】  異なるサイズのフィルムに画像記録する際に現像むらを抑えながら待機時間を短縮できる画像記録装置及び画像記録方法を提供する。【解決手段】  この画像記録方法は、複数の画像データを記憶し、各画像データが要求するフィルムサイズを検知し、フィルムサイズの検知結果に基づいて複数の画像データを同一幅手サイズ毎に選択し、選択された画像データに基づいて銀塩感光材料からなるフィルムに露光を行い、露光されたフィルムを熱現像し、次に、選択された別の画像データについて連続して同一幅手サイズのフィルムに画像記録を行う。【選択図】  図１３
2005165103.tif 000002
【特許請求の範囲】
【請求項１】
複数の画像データを記憶するメモリ手段と、
前記画像データに基づいて銀塩感光材料からなるフィルムに露光を行う露光手段と、
前記露光手段により露光された前記フィルムを熱現像する熱現像手段と、
前記各画像データが要求するフィルムサイズを検知する手段と、を備え、
前記フィルムサイズの検知結果に基づいて前記複数の画像データから同一幅手サイズのフィルムを要求する画像データを選択し、前記選択された画像データについて連続して前記同一幅手サイズのフィルムに画像記録を行うことを特徴とする画像記録装置。
【請求項２】
前記複数の画像データを所定範囲内で前記メモリ手段が記憶し、前記所定範囲内で記憶された複数の画像データについて前記選択を行うことを特徴とする請求項１に記載の画像記録装置。
【請求項３】
最大幅手サイズのフィルムから画像記録を行い、順次に小さいサイズのフィルムに画像記録を行うことを特徴とする請求項１または２に記載の画像記録装置。
【請求項４】
複数の画像データを記憶するメモリ手段と、
前記画像データに基づいて銀塩感光材料からなるフィルムに露光を行う露光手段と、
前記露光手段により露光された前記フィルムを熱現像する熱現像手段と、
前記熱現像手段におけるフィルム接触面と非接触面との温度分布を監視する手段と、
前記各画像データが要求するフィルムサイズを検知する手段と、
前記温度分布の監視結果及び前記フィルムサイズの検知結果に基づいて異なる幅手サイズのフィルムの画像記録の順番を制御する制御手段と、を備え、
前記制御手段は前記画像記録のときに前記温度分布が広がらないように前記画像記録の順番を制御することを特徴とする画像記録装置。
【請求項５】
前記監視手段が前記フィルム接触面と前記非接触面との温度差を監視し、前記制御手段は、前記温度差が所定値以下であるときに、同じ幅手サイズのフィルムでの連続画像記録を許可することを特徴とする請求項４に記載の画像記録装置。
【請求項６】
前記監視手段が前記フィルム接触面と前記非接触面との温度差を監視し、前記制御手段は、前記温度差が所定値を越えたときに、それまで画像記録を行っていたフィルムの幅手サイズよりも小さい幅手サイズのフィルムで画像記録を行うように制御することを特徴とする請求項４または５に記載の画像記録装置。
【請求項７】
患者を撮影した医用画像データを医用画像生成装置で取得し、前記医用画像データをネットワークを介して前記画像データとして受信するように構成されたことを特徴とする請求項１乃至６のいずれか１項に記載の画像記録装置。
【請求項８】
前記医用画像データの付帯情報にその画像データが要求するフィルムサイズ情報が含まれていることを特徴とする請求項７に記載の画像記録装置。
【請求項９】
複数の画像データを記憶するステップと、
前記各画像データが要求するフィルムサイズを検知するステップと、
前記フィルムサイズの検知結果に基づいて前記複数の画像データを同一幅手サイズ毎に選択するステップと、
前記選択された画像データに基づいて銀塩感光材料からなるフィルムに露光を行うステップと、
前記露光されたフィルムを熱現像するステップと、
前記選択された別の画像データについて連続して前記同一幅手サイズのフィルムに画像記録を行うステップと、を含むことを特徴とする画像記録方法。
【請求項１０】
最大幅手サイズのフィルムから画像記録を行い、順次に小さいサイズのフィルムに画像記録を行うことを特徴とする請求項９に記載の画像記録方法。
【請求項１１】
複数の画像データを記憶するステップと、
前記各画像データが要求するフィルムサイズを検知するステップと、
熱現像のためのフィルム加熱部におけるフィルム接触面と非接触面との温度分布を監視するステップと、
前記画像データに基づいて銀塩感光材料からなるフィルムに露光を行うステップと、
前記露光されたフィルムを熱現像するステップと、を含み、
前記温度分布の監視結果及び前記フィルムサイズの検知結果に基づいて異なる幅手サイズのフィルムの画像記録の順番を前記温度分布が広がらないように制御することを特徴とする画像記録方法。
【請求項１２】
前記フィルム接触面と前記非接触面との温度差を監視し、前記温度差が所定値以下であるときに、同じ幅手サイズのフィルムでの連続画像記録を許可することを特徴とする請求項１１に記載の画像記録方法。
【請求項１３】
前記フィルム接触面と前記非接触面との温度差を監視し、前記温度差が所定値を越えたときに、それまで画像記録を行っていたフィルムの幅手サイズよりも小さい幅手サイズのフィルムで画像記録を行うことを特徴とする請求項１１または１２に記載の画像記録方法。
【発明の詳細な説明】
【技術分野】
【０００１】
本発明は、熱現像方式による画像記録装置及び画像記録方法に関する。
【背景技術】
【０００２】
熱現像方式による画像記録装置において、それまでとはサイズの異なる記録材料を熱現像部に搬入する際には、新たなサイズの記録材料を所定時間待機させ、その待機中に加熱ドラムの回転及び熱源による加熱を継続することで表面温度を均一にすることにより現像むらを少なくすることが公知である（下記特許文献１参照）。
【０００３】
上記熱現像方式による画像記録装置ではフィルムを加熱ドラムに接触させてその加熱ドラムの熱で現像する。フィルムに接触している加熱ドラムの表面は、フィルムに熱が供給されるので、非接触面よりも表面温度が低くなる。従って、それまでとはサイズの異なる記録材料を熱現像部に搬入する際には、上述のように、加熱ドラムの表面温度が均一になるまで所定時間待機させる必要がある。画像記録装置に外部から入力する画像データで１枚ごとに異なるフィルムサイズの要求があった場合、１枚ごとに所定時間待機しなければならず、待機時間が掛かってしまい、装置のプリント生産性が低下していた。
【特許文献１】特開平１１−６５０７０号公報
【発明の開示】
【発明が解決しようとする課題】
【０００４】
本発明は、上述のような従来技術の問題に鑑み、異なるサイズのフィルムに画像記録する際に現像むらを抑えながら待機時間を短縮できる画像記録装置及び画像記録方法を提供することを目的とする。
【課題を解決するための手段】
【０００５】
上記目的を達成するために、本発明による画像記録装置は、複数の画像データを記憶するメモリ手段と、前記画像データに基づいて銀塩感光材料からなるフィルムに露光を行う露光手段と、前記露光手段により露光された前記フィルムを熱現像する熱現像手段と、前記各画像データが要求するフィルムサイズを検知する手段と、を備え、前記フィルムサイズの検知結果に基づいて前記複数の画像データから同一幅手サイズのフィルムを要求する画像データを選択し、前記選択された画像データについて連続して前記同一幅手サイズのフィルムに画像記録を行うことを特徴とする。
【０００６】
この画像記録装置によれば、メモリ手段に蓄積された複数の画像データが異なる幅手サイズのフィルムを要求している場合に、同一幅手サイズのフィルムを要求する画像データを選択しまとめることができ、その選択された画像データについて連続して同一幅手サイズのフィルムに画像記録を行うので、フィルム１枚ごとに待機する必要がなく待機時間を短縮でき、現像むらを抑えることができる。
【０００７】
上記画像記録装置において前記複数の画像データを所定範囲内で前記メモリ手段が記憶し、前記所定範囲内で記憶された複数の画像データについて前記選択を行うことが好ましい。この場合、所定範囲とは、メモリの記憶容量や時間等で設定できる。
【０００８】
また、最大幅手サイズのフィルムから画像記録を行い、順次に小さいサイズのフィルムに画像記録を行うことで、フィルムの幅手サイズが換わるときにも待機する必要がなく、現像むらを抑えながら待機時間を短縮できる。
【０００９】
本発明による別の画像記録装置は、複数の画像データを記憶するメモリ手段と、前記画像データに基づいて銀塩感光材料からなるフィルムに露光を行う露光手段と、前記露光手段により露光された前記フィルムを熱現像する熱現像手段と、前記熱現像手段におけるフィルム接触面と非接触面との温度分布を監視する手段と、前記各画像データが要求するフィルムサイズを検知する手段と、前記温度分布の監視結果及び前記フィルムサイズの検知結果に基づいて異なる幅手サイズのフィルムの画像記録の順番を制御する制御手段と、を備え、前記制御手段は前記画像記録のときに前記温度分布が広がらないように前記画像記録の順番を制御することを特徴とする。
【００１０】
この画像記録装置によれば、メモリ手段に蓄積された複数の画像データが異なる幅手サイズのフィルムを要求している場合に、熱現像手段におけるフィルム接触面と非接触面との温度分布を監視しながらフィルムに画像記録を行い、その温度分布が広がらないように異なる幅手サイズのフィルムの画像記録の順番を制御するので、フィルム１枚ごとに待機する必要がなく待機時間を短縮でき、現像むらを抑えることができる。
【００１１】
上記画像記録装置において前記監視手段が前記フィルム接触面と前記非接触面との温度差を監視し、前記制御手段は、前記温度差が所定値以下であるときに、同じ幅手サイズのフィルムでの連続画像記録を許可するように構成することで、更に現像むらを抑えながら待機時間を短縮できる。
【００１２】
また、前記監視手段が前記フィルム接触面と前記非接触面との温度差を監視し、前記制御手段は、前記温度差が所定値を越えたときに、それまで画像記録を行っていたフィルムの幅手サイズよりも小さい幅手サイズのフィルムで画像記録を行うように制御することで、更に現像むらを抑えながら待機時間を短縮できる。
【００１３】
上記各画像記録装置において患者を撮影した医用画像データを医用画像生成装置で取得し、前記医用画像データをネットワークを介して前記画像データとして受信するように構成されることが好ましい。この場合、前記医用画像データの付帯情報にその画像データが要求するフィルムサイズ情報が含まれていることが好ましく、このフィルムサイズ情報からフィルムサイズを検知することができる。
【００１４】
本発明による画像記録方法は、複数の画像データを記憶するステップと、前記各画像データが要求するフィルムサイズを検知するステップと、前記フィルムサイズの検知結果に基づいて前記複数の画像データを同一幅手サイズ毎に選択するステップと、前記選択された画像データに基づいて銀塩感光材料からなるフィルムに露光を行うステップと、前記露光されたフィルムを熱現像するステップと、前記選択された別の画像データについて連続して前記同一幅手サイズのフィルムに画像記録を行うステップと、を含むことを特徴とする。
【００１５】
この画像記録方法によれば、メモリに蓄積された複数の画像データが異なる幅手サイズのフィルムを要求している場合に、同一幅手サイズのフィルムを要求する画像データを選択しまとめることができ、その選択された画像データについて連続して同一幅手サイズのフィルムに画像記録を行うので、フィルム１枚ごとに待機する必要がなく待機時間を短縮でき、現像むらを抑えることができる。
【００１６】
上記画像記録方法において最大幅手サイズのフィルムから画像記録を行い、順次に小さいサイズのフィルムに画像記録を行うことで、フィルムの幅手サイズが換わるときにも待機する必要がなく、現像むらを抑えながら待機時間を短縮できる。
【００１７】
本発明による別の画像記録方法は、複数の画像データを記憶するステップと、前記各画像データが要求するフィルムサイズを検知するステップと、熱現像のためのフィルム加熱部におけるフィルム接触面と非接触面との温度分布を監視するステップと、前記画像データに基づいて銀塩感光材料からなるフィルムに露光を行うステップと、前記露光されたフィルムを熱現像するステップと、を含み、前記温度分布の監視結果及び前記フィルムサイズの検知結果に基づいて異なる幅手サイズのフィルムの画像記録の順番を前記温度分布が広がらないように制御することを特徴とする。
【００１８】
この画像記録方法によれば、メモリに蓄積された複数の画像データが異なる幅手サイズのフィルムを要求している場合に、フィルム加熱部におけるフィルム接触面と非接触面との温度分布を監視しながらフィルムに画像記録を行い、その温度分布が広がらないように異なる幅手サイズのフィルムの画像記録の順番を制御するので、フィルム１枚ごとに待機する必要がなく待機時間を短縮でき、現像むらを抑えることができる。
【００１９】
上記画像記録方法において前記フィルム接触面と前記非接触面との温度差を監視し、前記温度差が所定値以下であるときに、同じ幅手サイズのフィルムでの連続画像記録を許可するすることで、更に現像むらを抑えながら待機時間を短縮できる。
【００２０】
また、前記フィルム接触面と前記非接触面との温度差を監視し、前記温度差が所定値を越えたときに、それまで画像記録を行っていたフィルムの幅手サイズよりも小さい幅手サイズのフィルムで画像記録を行うことで、更に現像むらを抑えながら待機時間を短縮できる。
【発明の効果】
【００２１】
本発明の画像記録装置及び画像記録方法によれば、異なるサイズのフィルムに画像記録する際に現像むらを抑えながら待機時間を短縮できる。
【発明を実施するための最良の形態】
【００２２】
以下、本発明を実施するための最良の形態について図面を用いて説明する。  図１は本実施の形態による画像記録装置の要部を示す正面図である。図２は図１の画像記録装置の斜視図であり、第１の装填部を引き出した状態を示す図である。図３は図１の画像記録装置の露光部を概略的に示す図である。
【００２３】
図１に示すように画像記録装置１００は、シート状の銀塩感光材料である熱現像感光フィルム（以下、「フィルム」と表す場合もある。）を所定枚数でパッケージした包装体を装填する第１及び第２の装填部１１，１２と、フィルムを１枚づつ露光・現像のために搬送する搬送部５とを有する供給部１１０と、供給部１１０から給送されたフィルムを露光し潜像を形成する露光部１２０と、潜像を形成されたフィルムを熱現像する熱現像部１３０と、現像されたフィルムの濃度を測定し濃度情報を得る濃度計２００や搬送ローラ１４４等を含む冷却搬送部１５０と、を備える。
【００２４】
供給部１１０の第１及び第２の装填部１１，１２には、サイズの異なるフィルムをそれぞれ装填することができ、第１の装填部１１または第２の装填部１２からフィルムが１枚づつ搬送部５、搬送ローラ対１３９，１４１により図１の矢印方向（１）に搬送されるようになっている。第１及び第２の装填部１１，１２のフィルム搬送の切り替えは各搬送部５を制御することで行うことができる。
【００２５】
そして、フィルムは矢印方向（２）に搬送され露光部１２０で潜像が形成され、次に、搬送ローラ対１４２，１４３により矢印方向（３）へ搬送され熱現像部１３０で潜像が可視像化され、更に矢印方向（４）へ搬送され冷却搬送部１５０で冷却されてから集積部１６０へと排出される。このようにして、フィルムＦは図１のように集積部１６０に集積されるようになっている。
【００２６】
また、搬送ローラ対１３９，１４１，１４２，１４３等は図４のモータ１５１等により回転駆動され、モータ１５１等は図４のように中央演算装置（ＣＰＵ）から構成された制御部１５２で制御される。
【００２７】
図２のように、画像記録装置１００の第１の装填部１１は、フィルムをフィルムパッケージの状態で装填しフィルムを収納できる収納トレイ部３と、収納トレイ部３に一体的に設けられフィルムを１枚ずつ送り出し装置外へと搬送するためのローラフィード式の搬送部５と、フィルムパッケージからフィルムを露出させるために収納トレイ部３の奥側に一体的に設けられ装填されたフィルムパッケージのバリア袋を巻き取り除去する除去部６と、を備える。
【００２８】
第１の装填部１１は、画像記録装置１００の装置筐体１ａに収まりかつ装置筐体１ａから引き出すことができるように構成されている。即ち、収納トレイ部３の全体が装置筐体１ａに対し装置前面１ｂで押し込み及び引き出しが可能に構成されており、図２のように引出移動方向Ｈ’に装置筐体１ａから引き出されたときに装填位置でフィルムパッケージの装填やメンテナンスが可能となり、また、図２の押込移動方向Ｈに装置筐体１ａ内に押し込まれたときに外部からの光が遮断され搬送位置でフィルム搬送が可能になる。このように、第１の装填部１１の収納トレイ部３は、装置内の搬送位置と装置外の装填位置との間で移動できる構造になっている。
【００２９】
次に、図２の搬送部について図９を参照して説明する。図９は図２の第１の装填部１１に設けられる搬送部を概略的に示す側面図である。
【００３０】
図９のように、搬送部５は、収納トレイ部３に積層状態で載置されたフィルムＦの表面ＢＣに所定の押付力Ｐ１１で当接した搬送ローラ９１が回転方向ｒに回転することで最上位のフィルムＦをニップローラ対９２，９３側に送り出し、両ローラ９２，９３間にフィルムＦを挟持した状態で従動ローラ９３側から駆動ローラ９２側にニップ力Ｐ１２を加えながら駆動ローラ９２が搬送ローラ９１と同期して回転方向ｒ’に回転することで搬送方向Ｊに搬送する。
【００３１】
また、上述のようなフィルム搬送時に最上位のフィルムＦとともにその下の１、２枚のフィルムも搬送ローラ９１により送り出されてニップローラ対９２，９３で搬送されることがあるので、駆動ローラ９２をトルクリミッタ付きの逆転可能なローラから構成している。ニップローラ対９２，９３間に複数枚のフィルムＦが挟まれると、駆動ローラ９２とフィルムＦとの摩擦係数よりもフィルムＦ同士の摩擦係数が低いので、駆動ローラ９２からのトルクが従動ローラ９３側に伝達されずにトルクリミッタが検知し、駆動ローラ９２及びこれと同期していた搬送ローラ９１が逆回転になり、余分に搬送されたフィルムＦを元に戻すようになっている。なお、第２の装填部１２は上述の第１の装填部１１と同様の構成となっている。
【００３２】
次に、露光部について図３を参照して説明する。図３のように、露光部１２０は、画像信号ｓに基づき強度変調されたレーザ光Ｌを、回転多面鏡１１３によって偏向して、フィルムＦ上を主走査すると共に、フィルムＦをレーザ光Ｌに対して主走査の方向と略直角な方向に相対移動させることにより副走査し、レーザ光Ｌを用いてフィルムＦに潜像を形成するものである。
【００３３】
露光部１２０のより具体的な構成を以下に述べる。図３において、入力部１２１からのデジタル信号である画像信号ｓは、Ｄ／Ａ変換器１２２においてアナログ信号に変換され、変調回路１２３に入力される。変調回路１２３は、かかるアナログ信号に基づき、レーザ光源部１１０ａのドライバ１２４を制御して、レーザ光源部１１０ａから変調されたレーザ光Ｌを照射させるようになっている。
【００３４】
レーザ光源部１１０ａから照射されたレーザ光Ｌは、レンズ１１２を通過し、シリンドリカルレンズ１１５により上下方向にのみ収束されて、図中矢印Ａ方向に回転する回転多面鏡１１３に対し、その駆動軸に垂直な線像として入射するようになっている。回転多面鏡１１３は、レーザ光Ｌを主走査方向に反射し偏向し、偏向されたレーザ光Ｌは、２枚のレンズを組み合わせてなるシリンドリカルレンズを含むｆθレンズ１１４を通過した後、光路上に主走査方向に延在して設けられたミラー１１６で反射されて、副走査のための搬送ローラ対１４２により、矢印Ｙ方向に搬送され副走査されているフィルムＦの被走査面１１７上を、矢印Ｘ方向に繰り返し主走査する。すなわち、レーザ光Ｌを、フィルムＦ上の被走査面１１７の全面にわたって走査する。
【００３５】
ｆθレンズ１１４のシリンドリカルレンズは、入射したレーザ光ＬをフィルムＦの被走査面１１７上に、副走査方向にのみ収束させるものとなっており、また前記ｆθレンズ１１４から前記被走査面までの距離は、ｆθレンズ１１４全体の焦点距離と等しくなっている。このように、露光部１２０においては、シリンドリカルレンズを含むｆθレンズ１１４及びミラー１１６を配設しており、レーザ光Ｌが回転多面鏡１１３上で、一旦副走査方向にのみ収束させるようになっているので、回転多面鏡１１３に面倒れや軸ブレが生じても、フィルムＦの被走査面１１７上において、レーザ光Ｌの走査位置が副走査方向にずれることがなく、等ピッチの走査線を形成することができるようになっている。回転多面鏡１１３は、例えばガルバノメータミラー等、その他の光偏光器に比べ走査安定性の点で優れているという利点がある。以上のようにして、フィルムＦに画像信号ｓに基づく潜像が形成されることとなる。
【００３６】
上述のように潜像が形成される具体的な化学的反応の内容について図７を参照して説明する。図７は、熱現像材料から構成されるフィルムＦの断面図であり、露光時におけるフィルムＦ内の化学的反応を模式的に示した図である。
【００３７】
フィルムＦは、ＰＥＴからなる支持体（基層）上に、耐熱性バインダを主成分とする感光層が形成され、更に、その上に耐熱性バインダを主成分とする保護層が形成されている。感光層には、ハロゲン化銀粒子と、有機酸銀の一種であるベヘン酸銀（Ｂｅｈ．Ａｇ）と、還元剤及び調色剤とが配合されている。また、支持体の裏面にも耐熱性バインダを主成分とする裏面層が設けられている。
【００３８】
露光時に、露光部１２０よりレーザ光ＬがフィルムＦに対して照射されると、図７に示すように、レーザ光Ｌが照射された領域に、ハロゲン化銀粒子が感光し、潜像が形成される。
【００３９】
図４乃至図６は、フィルムＦを加熱する熱現像部１３０の構成を示す図であり、より具体的には、図４は、熱現像部１３０の斜視図であり、図５は、図４の構成をＩＶ−ＩＶ線で切断して矢印方向に見た断面図であり、図６は、図４の構成を正面から見た図である。
【００４０】
熱現像部１３０は、フィルムＦを外周にほぼ密着して保持しつつ加熱可能な加熱部材としての加熱ドラム１４を有している。加熱ドラム１４は、フィルムＦを所定の最低熱現像温度以上に、所定の熱現像時間維持することによって、フィルムＦに、形成された潜像を可視画像として形成する機能を有する。ここで、最低熱現像温度とは、フィルムＦに形成された潜像が熱現像され始める最低温度のことであり、例えば９５℃以上である。一方、熱現像時間とは、フィルムＦの潜像を所望の現像特性に現像するために、最低熱現像温度以上に維持するべき時間をいう。なお、フィルムＦは、４０℃以下では実質的に熱現像されないものであることが好ましい。
【００４１】
上述の加熱により潜像が可視化される具体的な化学的反応の内容について図８を参照して説明する。図８は、加熱時におけるフィルムＦ内の化学的反応を模式的に示した、図７と同様な断面図である。
【００４２】
フィルムＦが加熱されて最低熱現像温度以上になると、図８に示すように、ベヘン酸銀から銀イオン（Ａｇ+）が放出され、銀イオンを放出したベヘン酸は調色剤と錯体を形成する。その後銀イオンが拡散して、感光したハロゲン化銀粒子を核として還元剤が作用し、化学的反応により銀画像が形成されると思われる。このようにフィルムＦは、感光性ハロゲン化銀粒子と、有機銀塩と、銀イオン還元剤とを含有し、４０℃以下の温度では実質的に熱現像されず、例えば９５℃以上の温度で熱現像される。
【００４３】
図４，図５に示すように、加熱ドラム１４の外方には、案内部材かつ押圧部材として加熱ドラム１４に比べて小径の回転自在の対向ローラ１６が複数本設けられており、加熱ドラム１４に対して平行に対向するように配置されている。
【００４４】
対向ローラ１６は、ステンレス鋼からなり、上流側の３本１６ａ、１６ｂ、１６ｃを中実の例えば直径１２ｍｍの大径ローラに構成し、その下流に隣接する対向ローラ１６ｄ及び最下流側の対向ローラ１６ｅまでの残りの対向ローラ１６を管状の例えば直径８ｍｍの小径ローラに構成している。対向ローラ１６は熱容量が０．１６ｋＪ／Ｋ以上が好ましく、対向ローラ１６の材質であるステンレス鋼は、熱容量が０．１８ｋＪ／Ｋ程度である。
【００４５】
加熱ドラム１４の両端には、フレーム１８に支持されている案内ブラケット２１が片側に３個ずつ備えられている。案内ブラケット２１を組み合わせることにより、加熱ドラム１４の両端において、対向するＣ字形状が形成されるようになっている。
【００４６】
案内ブラケット２１は複数の対向ローラ１６をその両端で一体的に保持しており、案内ブラケット２１による保持位置が調整可能になっている。即ち、案内ブラケット２１の位置を調整することで複数の対向ローラ１６の加熱ドラム１４に対する位置を調整できる。これにより、加熱ドラム１４の軸線方向における加熱ドラム１４と対向ローラ１６との間の平行度を適切に調整できるので、フィルムが加熱ドラム１４の外周面に均一に密着できる。特に、後述のように加熱ドラム１４の外周面にフッ素樹脂等の滑面層を設けた場合に、かかる平行度のずれに起因して濃度むらが生じ易いのであるが、平行度を調整可能に構成することでかかる濃度むらを防止できる構成を実現できる。
【００４７】
各案内ブラケット２１は、半径方向に延びた長孔４２を９つ形成している。この長孔４２から、対向ローラ１６の両端部に設けられたシャフト４０が突出する。シャフト４０には、それぞれ各コイルばね２８の一端が取り付けられており、各コイルばね２８の他端は、案内ブラケット２１の内方縁近傍に取り付けられている。従って、各対向ローラ１６は、各コイルばね２８の付勢力に基づく所定の力で、加熱ドラム１４の外周にそれぞれ付勢される。フィルムＦは、加熱ドラム１４の外周と対向ローラ１６との間に進入したときに、かかる所定の力で加熱ドラム１４の外周面に対して押圧され、それによりフィルムＦを全面的に均一に加熱する。
【００４８】
加熱ドラム１４に同軸に連結されたシャフト２２は、フレーム１８の端部部材２０から外方に延在しており、シャフトベアリング２４により、端部部材２０に対して回転自在に支承されている。シャフト２２の下方に配置され、端部部材２０に取り付けられたマイクロステップモータ（図示省略）の回転軸２３には、ギヤ（図示省略）が形成されている。一方、シャフト２２にもギヤが形成されている。両ギヤを連結するタイミングベルト（ギヤが刻まれているベルト）２５を介して、マイクロステップモータの動力がシャフト２２に伝達され、それにより加熱ドラム１４が回転する。なお、回転軸２３からシャフト２２への動力の伝達は、タイミングベルトではなくチェーンやギヤ列を介して行っても良い。
【００４９】
図６に示すように、本実施の形態において、対向ローラ１６は、加熱ドラム１４の周囲方向に設けられており、２本の補強部材３０（図６）が、フレーム１８の両端部部材２０を連結し、両端部部材２０を付加的に支持するようになっている。
【００５０】
加熱ドラム１４の内周には、板状のヒータ３２が全周にわたって取り付けられており、図６に示す制御用の電子装置３４の制御下で、加熱ドラム１４の外周を加熱するようになっている。ヒータ３２への電力の供給は、電子装置３４に連結されたスリップ・リング・アセンブリ３５を介して行われる。
【００５１】
ヒータ３２は、加熱ドラム１４の外周面を加熱するべく、加熱ドラム１４の内周に取り付けられている。加熱ドラム１４を加熱するためのヒータ３２は、例えばエッチングされた抵抗性のフォイル・ヒータを用いることができる。
【００５２】
ヒーター制御用の電子装置３４は、加熱ドラム１４と共に回転し、加熱ドラム１４に配置された温度検出手段（図１０の温度センサＴ１，Ｔ２）により感知された温度情報に応じて、ヒータ３２に供給される電力を調整することができるようになっている。制御用電子装置３４はヒータ３２を制御することにより、特定のフィルムＦの現像に適した温度になるよう、加熱ドラム１４の外表面温度調整を行う。本実施の形態においては加熱ドラム１４を、６０℃〜１６０℃の温度にまで加熱することができる。
【００５３】
ここで、フィルムを実際に加熱する前には、ヒータ３２と制御用電子装置３４とにより、加熱ドラム１４の幅方向の温度を２．０℃以内（特に、１．０℃以内）に維持すると好ましい。本実施の形態では、０．５℃以内に維持される（図１１参照）。
【００５４】
図５に示すように、加熱ドラム１４は、回転自在な円筒形状のアルミニウム製の支持チューブ３６と、この支持チューブ３６の外側に取り付けられたシリコンゴム等からなる柔軟な弾性層３８と、弾性層３８の外周にフッ素樹脂を塗布等でコーティングして最外周面として形成された滑面層３９と、を備える。
【００５５】
弾性層３８の厚さと熱伝導率は、複数のフィルムＦの連続的処理を効率的に行えるように選択され、熱伝導率は０．５Ｗ／ｋ以上が好ましい。また、弾性層３８の硬度は、ＪＩＳ−Ａ硬度２０乃至７０度であることが好ましい。なお、弾性層３８は、支持チューブ３６に間接的に取り付けられていても良い。
【００５６】
弾性層３８はゴムまたはゴム状部材から構成でき、かかるゴムまたはゴム状部材としては、各種ゴム材料や熱可塑性エラストマなどの他に、ゴム材料と同様の弾性をもつ各種材料を広く含む。例えば、各種ゴム材料、樹脂材料、熱可塑性エラストマ等を、単独もしくは併用したものを用いても良い。この場合において、各種ゴム材料とは限定されるものではなく、例えば、固体のゴム材料の他に、液状の粘弾性体を硬化させて得られる液状反応硬化物等を用いても艮い。
【００５７】
また、固体のゴム材料とは、例えばエチレンプロピレン三元共重合体（ＥＰＤＭ）、ブチルゴム、ポリイソブチレン、エチレンプロピレンゴム、クロロフレンゴム、天然ゴム、スチレンブタジエンゴム、ブタジエンゴム、スチレン−イソブレン−スチレン、スチレン−ブタジエン−スチレン、ウレタンゴム等を、単独もしくは併用して用いたポリマに対して、従来からゴム工業一般で用いられている、加硫剤や架橋剤、加硫促進剤、加硫促進助剤、粘着付与剤、充填剤、可塑剤、老化防止剤、溶剤等の配合薬品を配合し、加硫（又は架橋）したものが含まれる。
【００５８】
また、液状のゴム材料とは、例えば、ウレタン、液状ポリブタジエン、変性シリコン、シリコン、ポリサルファイド等が含まれる。なお、これらの材料は、固体化させるための硬化剤を所定量添加して混合し、反応硬化させて用いることが好ましい。弾性層３８は、密な状態に形成しても、スポンジ状に形成してもよい。
【００５９】
滑面層３９を形成するために塗布するフッ素樹脂としては、例えば、ポリテトラフルオロエチレン（ＰＴＦＥ）、ポリクロロトリフルオロエチレン（ＰＣＴＦＥ）、ポリビニリデンフルオライド（ＰＶＤＦ）、テトラフルオロエチレンとハーフルオロアルコキシエチレンとの共重合体（ＰＦＡ）、エチレンとテトラフルオロエチレンとの共重合体（ＥＴＦＥ）、テトラフルオロエチレンとヘキサフルオロブロビレンとの共重合体（ＦＥＰ）などの化合物が用いられる。
【００６０】
フィルムＦが加熱ドラム１４の周囲で熱現像のため加熱されると、例えば有機酸などの薬品成分を含むガスを発生するが、弾性層３８の表面に設けられた滑面層３９を構成するフッ素樹脂は、耐化学反応性を有するので、有機酸などのガス成分とは反応せず劣化しない。また、フッ素樹脂はそれらのガス成分が透過しないよう遮断し、シリコンゴム等からなる弾性層３８が有機酸などのガス成分に接触することはないので、そのガス成分により劣化せず、また変質しない。よって、弾性層３８は、経時的にその形状や物性の変化をほとんど起こさないので、初期の弾性力や熱伝導性を維持できる。
【００６１】
また、滑面層３９の膜厚は、弾性層３８の有機酸などのガス成分による劣化防止の観点から１０μｍ以上が好ましく、濃度むら防止の観点から６０μｍ以下が好ましい。
【００６２】
また、コイルばね２８の付勢力は、フィルムＦが加熱ドラム１４の外周面により確実に密着して、十分な熱伝達を受けながら安定して搬送されるように対向ローラ１６の押圧力を決定するものであるため、その値の選定には注意する必要がある。即ち、コイルばね２８の付勢力が過小であれば、フィルムＦに熱が不均一に伝導するため画像の現像が不完全になるおそれがあり、またフィルムの搬送が不安定になるおそれがある。
【００６３】
次に、図５の加熱ドラム１４から離れたフィルムＦを最初に案内するガイド部材について説明する。図５のように、現像されたフィルムＦを加熱ドラム１４から分離し搬送方向に案内するためのガイド部材２１０が最下流の対向ローラ１６ｅの下方に加熱ドラム１４と搬送ローラ対１４４ａとの間に配置されている。即ち、ガイド部材２１０は、フィルムＦが加熱ドラム１４と対向ローラ１６との間で搬送されて最外周の滑面層３９から離れた後に最初にその案内面３００がフィルムＦを案内するように配置されている。
【００６４】
図１の画像記録装置１００では、加熱ドラム１４に近づけて配置した図５のガイド部材２１０の案内面３００で熱現像後で軟化状態のフィルムを搬送ローラ対１４４ａを通して次工程の図１の冷却搬送部１５０に安定して導くことができる。
【００６５】
なお、加熱ドラムから分離したフィルムを冷却搬送部に案内するガイド先端と加熱ドラムとの間隙を一定に保つため突き当てコロ方式を採用することが考えられるが、この場合も、加熱ドラムの外周面が膨潤等を起こさないので、ドラム長手方向位置に径が一定となるため、ガイド先端と加熱ドラムとの間隙を確実に一定に維持でき、加熱ドラムの外周面を傷付けてしまうおそれがなくなる。
【００６６】
次に、加熱ドラム１４におけるフィルム加熱時の温度分布について図１０，図１１を参照して説明する。図１０は、図１，図４の加熱ドラムをその周囲の対向ローラ１６等を省略して概略的に示す斜視図である。図１１は図１０の加熱ドラムのフィルム加熱前及び加熱時における幅方向の温度分布を示す図である。
【００６７】
図１０のように、加熱ドラム１４は、回転軸ｐが延びる幅方向Ｗの所定領域で所定幅サイズのフィルムを加熱するようになっており、例えば、図のドラム円周方向の左側基準位置ｋ１と中間基準位置ｋ２との間に幅手サイズが８インチのフィルム（例えば、六切サイズ（８×１０インチ））を加熱する小フィルム接触領域ＷＡが形成され、また左側基準位置ｋ１と右側基準位置ｋ３との間に幅手サイズが１４インチのフィルム（例えば、半切サイズ（１４×１７インチ）や大角サイズ（１４×１４インチ））を加熱する大フィルム接触領域ＷＢが形成される。
【００６８】
また、図１０のように、加熱ドラム１４の幅方向Ｗの略中間位置に第１温度センサＴ１が配置され、大フィルム接触領域ＷＢの近傍であって外れた位置に第２温度センサＴ２が配置されている。
【００６９】
図１０の加熱ドラム１４の幅方向Ｗにおける温度分布は、上述のようにフィルム加熱前に０．５℃以内に維持され、例えば、大フィルム接触領域ＷＢの範囲内において図１１の破線で示す温度分布曲線ａのようにほぼフラットな温度分布となる。かかる温度分布の加熱ドラム１４に対し幅手サイズ８インチのフィルムを連続的に供給し加熱を連続して行うと、その幅方向Ｗにおける温度分布は、例えば、図１１の実線で示す温度分布曲線ｂのように変化し、フィルム接触による熱吸収のためフィルムと接触する小フィルム接触領域ＷＡ内で幅方向Ｗにおいてその中央部分を中心にしてほぼ対称に温度がやや低下する一方、中間基準位置ｋ２の外側のフィルム非接触領域（大フィルム接触領域ＷＢの範囲内）では、フィルム接触による熱吸収がないため温度がやや増加する。
【００７０】
また、温度分布曲線ａのような温度分布の加熱ドラム１４に対し幅手サイズ１４インチのフィルムを連続的に供給し加熱を連続して行うと、その幅方向Ｗにおける温度分布は、例えば、図１１の一点鎖線で示す温度分布曲線ｃのように変化し、フィルム接触による熱吸収のためフィルムと接触する大フィルム接触領域ＷＢ内で幅方向Ｗにおいてその中央部分を中心にしてほぼ対称に温度がやや低下する一方、その外側では温度がやや増加するが、大フィルム接触領域ＷＢ内における温度差は１℃以下である。
【００７１】
例えば、幅手サイズ８インチのフィルムの連続加熱のため加熱ドラム１４が図１１の温度分布曲線ｂのようになっている場合、幅手サイズ８インチに対応する小フィルム接触領域ＷＡでは幅方向Ｗにおける温度差ΔＴＡが例えば１℃以下であるので、幅手サイズ８インチのフィルムを連続的に加熱を行っても濃度むら発生のおそれは少ない。しかし、入力する画像データによって、幅手サイズ８インチのフィルムの連続加熱後に幅手サイズ１４インチのフィルムが要求された場合、図１１の温度分布曲線ｂに示すように、幅手サイズ１４インチに対応する大フィルム接触領域ＷＢにおいて幅方向Ｗにおける温度差ΔＴＢが例えば１℃を越えているので、幅手サイズ１４インチのフィルムを加熱すると、濃度むら発生のおそれがある。このため、一定の待機時間をとって大フィルム接触領域ＷＢにおける温度差ΔＴＢが例えば１℃以下になるまで待つ必要がある。
【００７２】
そこで、本実施の形態では、次のような構成により異なる幅手サイズのフィルムに画像記録する際に現像むらを抑えながら待機時間を短縮するようにしている。かかる構成について図１２，図１３，図４を参照して説明する。
【００７３】
図１２は、図１乃至図６の画像記録装置１００の制御系及び画像データの流れを示すブロック図である。図１３は、本実施の形態の画像記録装置の動作を説明するためのフローチャートである。図１４は、本実施の形態の画像記録装置の別の動作を説明するためのフローチャートである。
【００７４】
図１２に示すように、図４の中央演算装置（ＣＰＵ）から構成された制御部１５２は、図１０の第１及び第２温度センサＴ１，Ｔ２からの温度信号が入力し、搬送部５、露光部１２０及び画像データを記憶するメモリＭ等を制御する。
【００７５】
また、図１の画像記録装置１００は、図１２のように、ＤＩＣＯＭ（Digital Imaging and Communications in Medicine）規格に則ったＤＩＣＯＭネットワーク３０３を介して外部の複数の医用画像生成装置３０１，３０２と接続されており、医用画像生成装置３０１，３０２で取得された複数の医用画像データをＤＩＣＯＭネットワーク３０３を介して入力部１２１で受信すると、制御部１５２は、いったんメモリＭに記憶させ、例えば、メモリ容量が規定値近くになったり、所定時間が経過すると、画像信号ｓとして露光部１２０に出力し画像記録を行わせるようになっている。
【００７６】
医用画像生成装置３０１，３０２は、各種撮影モダリティを用いることができ、例えば患者の放射線画像情報が記録された輝尽性蛍光体パネルから放射線画像を読み取るようにしたＣＲ(computed radiography)である。
【００７７】
また、図１２の制御部１５２は、各医用画像データの付帯情報に含まれているフィルムサイズ情報からその画像データが要求するフィルムサイズを検知し、複数の医用画像データを記憶するときに、幅手サイズ毎に分類してまとめてメモリＭに記憶させる。
【００７８】
次に、図１乃至図１２の画像記録装置１００の動作について図１３を参照して説明する。
【００７９】
まず、図１２のように、外部の医用画像生成装置３０１，３０２で取得された医用画像データがＤＩＣＯＭネットワーク３０３を介して入力部１２１に入力すると（Ｓ０１）、メモリＭに記憶させ（Ｓ０２）、例えば所定時間が経過し画像データの記憶が終了するまで入力した画像データを記憶し（Ｓ０３）、複数の画像データを記憶する。この記憶の際に、複数の画像データを幅手サイズ毎に分類してまとめてメモリＭに記憶させる（Ｓ０４）。
【００８０】
例えば、複数の画像データを幅手サイズが幅手サイズが８インチのフィルム（例えば、六切サイズ）を要求するグループと、幅手サイズが１４インチのフィルム（例えば、半切サイズや大角サイズ）を要求するグループとに分類して記憶する。なお、例えば、図１の第１の装填部１１には幅手サイズ１４インチの半切サイズのフィルムか装填され、第２の装填部１２には幅手サイズ８インチの六切サイズのフィルムか装填されている。
【００８１】
次に、分類された複数の画像データの内から最大幅手サイズのフィルムを要求する画像データのグループを選択し（Ｓ０５）、その画像データの画像信号ｓをメモリＭから露光部１２０に出力し、第１の装填部１１の搬送部５が作動して搬送された最大幅手サイズ（例えば１４インチ）のフィルムに露光し（Ｓ０６）、その画像信号ｓに基づいて形成された潜像を有するフィルムを熱現像部１３０で熱現像し可視化し（Ｓ０７）、集積部１６０へと排出する（Ｓ０８）。
【００８２】
上述の露光・熱現像による画像記録を同じ幅手サイズ（１４インチ）を要求する同じグループの複数の画像データについて連続して行い、それが終了すると（Ｓ０９）、次の小さな幅手サイズ（例えば８インチ）を要求する別のグループの画像データがある場合（Ｓ１０）、その小さな幅手サイズ（８インチ）を要求する別のグループの画像データを選択し（Ｓ１１）、上記ステップＳ０６に戻り、第２の装填部１２の搬送部５が作動して搬送された小幅手サイズ（例えば８インチ）のフィルムを同様にして露光し熱現像する。
【００８３】
上述のように、図１３の動作においては、同じ幅手サイズのフィルムを要求する画像データのグループ毎に連続して露光・熱現像を行うので、フィルム１枚ごとにフィルムサイズが異なることはなく、フィルム１枚ごとの待機時間は不要であり、待機時間の回数を減らすことができる。
【００８４】
また、例えば、１４インチのフィルムに対しては図１１の温度分布曲線ｃのような温度差１℃以下の温度分布の大フィルム接触領域ＷＢで熱現像を行い、また８インチのフィルムに対しては図１１の温度分布曲線ｂのような温度差１℃以下の温度分布の小フィルム接触領域ＷＡで熱現像を行うので、濃度むらの発生を抑制できる。
【００８５】
また、１４インチ等の最大幅手サイズのフィルムを要求する複数の画像データの露光・熱現像が終了してから、次のより小さい８インチ等の幅手サイズのフィルムを要求する複数の画像データの露光・熱現像を行うが、その際の温度分布は図１１の温度分布曲線ｃのようになっており、小フィルム接触領域ＷＡにおける温度分布も温度差１℃以下となっているので、この場合も待機時間が不要でありかつ現像むらも抑制できる。
【００８６】
次に、図１乃至図１２の画像記録装置１００の別の動作について図１４を参照して説明する。
【００８７】
まず、図１２のように、外部の医用画像生成装置３０１，３０２で取得された医用画像データがＤＩＣＯＭネットワーク３０３を介して入力部１２１に入力すると（Ｓ２１）、メモリＭに記憶させ（Ｓ２２）、例えば所定時間が経過し画像データの記憶が終了するまで入力した画像データを記憶し（Ｓ２３）、複数の画像データを記憶する。この記憶の際に、複数の画像データを幅手サイズ毎に分類してまとめてメモリＭに記憶させる（Ｓ２４）。
【００８８】
例えば、上述と同様に、複数の画像データを幅手サイズが幅手サイズが８インチのフィルム（例えば、六切サイズ）を要求するグループと、幅手サイズが１４インチのフィルム（例えば、半切サイズや大角サイズ）を要求するグループとに分類して記憶する。なお、例えば、図１の第１の装填部１１には幅手サイズ１４インチの半切サイズのフィルムか装填され、第２の装填部１２には幅手サイズ８インチの六切サイズのフィルムか装填されている。
【００８９】
次に、温度センサＴ１，Ｔ２で加熱ドラム１４の温度分布が所定の温度差（例えば、１℃）以下であることを監視し（Ｓ２５）、所定の温度差以下であれば、例えば最大幅手サイズのフィルムを要求する画像データのグループについて、その画像データの画像信号ｓをメモリＭから露光部１２０に出力し、第１の装填部１１の搬送部５が作動して搬送された最大幅手サイズ（１４インチ）のフィルムに露光し（Ｓ２６）、その画像信号ｓに基づいて形成された潜像を有するフィルムを熱現像部１３０で熱現像し可視化し（Ｓ２７）、集積部１６０へと排出する（Ｓ２８）。
【００９０】
上述の露光・熱現像による画像記録を同じ幅手サイズ（１４インチ）を要求する同じグループの複数の画像データについて温度差監視のステップＳ２５に戻りながら連続して行うが（Ｓ２９）、このとき、加熱ドラム１４の温度分布が所定の温度差（例えば、１℃）を越えると（Ｓ２５）、この幅手サイズ（１４インチ）を要求するグループの複数の画像データについての画像記録をいったん中断し、次の小さな幅手サイズ（例えば８インチ）を要求する別のグループの画像データがある場合（Ｓ３０）、その小さな幅手サイズ（８インチ）を要求する別のグループの画像データを選択し（Ｓ３１）、ステップＳ２６に戻り、第２の装填部１２の搬送部５が作動して搬送された小幅手サイズ（例えば８インチ）のフィルムを同様にして露光し熱現像する。
【００９１】
また、ステップＳ３０で別のグループの画像データがない場合は、加熱ドラム１４の温度分布が所定の温度差（例えば、１℃）以下になるまで所定時間待機し（Ｓ３２）、上記中断した画像データについて画像記録を行う。
【００９２】
上述のように、図１４の動作においては、同じ幅手サイズのフィルムを要求する画像データのグループ毎に連続して露光・熱現像を行うので、フィルム１枚ごとの待機時間は不要であり、待機時間の回数を減らすことができる。
【００９３】
また、例えば、１４インチのフィルムに対しては図１１の温度分布曲線ｃのような温度差１℃以下の温度分布の大フィルム接触領域ＷＢで熱現像を行い、また８インチのフィルムに対しては図１１の温度分布曲線ｂのような温度差１℃以下の温度分布の小フィルム接触領域ＷＡで熱現像を行うので、濃度むらの発生を抑制できる。しかも、１枚のフィルムへの画像記録が終了する度に、加熱ドラム１４の温度分布が所定の温度差以下であることを監視するので、加熱ドラム１４の温度分布が広がらないようにしながら濃度むらの発生を更に抑制できる。そして、温度分布が所定の温度差を越えると、異なる幅手サイズのフィルムを露光し熱現像するので、幅手サイズのフィルムの画像記録の順番を制御することで、待機時間を減らすことができる。
【００９４】
また、１４インチ等の最大幅手サイズのフィルムを要求する複数の画像データの露光・熱現像を行っているときに加熱ドラム１４の温度分布が所定の温度差（例えば、１℃）を越えると、次に、より小さい８インチ等の幅手サイズのフィルムを要求する複数の画像データの露光・熱現像を行うが、その際の温度分布は図１１の小フィルム接触領域ＷＡにおける温度分布が温度差１℃以下となっているので、この場合も待機時間が不要でありかつ現像むらも抑制できる。
【００９５】
また、図１４のステップＳ３０，Ｓ３１において小さな幅手サイズ（８インチ）を要求する画像データについて露光し熱現像した後に、ステップＳ２５に戻り、加熱ドラム１４の温度分布が所定の温度差（例えば、１℃）以下になっていた場合は、いったん中断した大きい幅手サイズ（１４インチ）を要求する画像データについて画像記録を行うことで、幅手サイズのフィルムの画像記録の順番を制御して待機時間を減らすことができる。なお、この場合、小さな幅手サイズ（８インチ）を要求する画像データが残っている場合は、そのまま小さな幅手サイズを要求する画像データについて画像記録を行うようにしてもよい。
【００９６】
以上のように、本実施の形態によれば、異なるサイズのフィルムで画像記録する際にも画像記録装置１００の記録処理能力が低下せず装置のプリント生産性を向上でき、ユーザの待ち時間が少なくなるとともに、現像むらの発生を防止できる。
【００９７】
以上のように本発明を実施の形態により説明したが、本発明はこれらに限定されるものではなく、本発明の技術的思想の範囲内で各種の変形が可能である。例えば、図１３において、大きい幅手サイズの画像データから露光・熱現像を開始し、より小さな幅手サイズの画像データに移るようにしたが、より小さな幅手サイズの画像データから露光・熱現像を開始してもよく、この場合、大きい幅手サイズの画像データの露光・熱現像に移る前に温度分布が所定温度差になるまで待機する。
【００９８】
また、図１の画像記録装置は、フィルムの装填部が２つであり、２種類のサイズのフィルムを利用できるが、装填部を３つまたはそれ以上設けてもよく、それに応じて３種類またはそれ以上の種類のサイズのフィルムを利用できる。この場合、例えば、フィルムサイズとして広幅（１７×１７インチ）サイズや四切（１０インチ×１２インチ）サイズのような他の１７インチや１０インチの幅手サイズのフィルムも利用できる。
【００９９】
また、図１２の医用画像生成装置３０１，３０２は、ＣＲ以外の撮影モダリティであってもよく、例えば、Ｘ線フラットパネルディテクタを用いた放射線画像撮影装置、ＣＴ(computed tomography：コンピュータ断層撮影装置) 、ＭＲI(magnetic resonance imaging：核磁気共鳴映像装置)、ＤＲ(digital radiography:デジタルラジオグラフィー)、ＵＳ（ultrasound：超音波診断装置）などの医用画像生成装置であってもよい。
【図面の簡単な説明】
【０１００】
【図１】本実施の形態による画像記録装置の要部を示す正面図である。
【図２】図１の画像記録装置の斜視図であり、第１の装填部を引き出した状態を示す図である。
【図３】図１の画像記録装置の露光部を概略的に示す図である。
【図４】図１の熱現像部１３０の斜視図である。
【図５】図４の構成をＩＶ−ＩＶ線で切断して矢印方向に見た断面図である。
【図６】図４の構成を正面から見た図である。
【図７】本実施の形態におけるフィルムの断面図であり、レーザビームによる露光時におけるフィルム内の化学的反応を模式的に示した図である。
【図８】本実施の形態におけるフィルムの断面図であり、図７のような潜像の形成されたフィルムを加熱した時におけるフィルム内の化学的反応を模式的に示した図である。
【図９】図２の第１の装填部１１に設けられる搬送部を概略的に示す側面図である。
【図１０】図１，図４の加熱ドラムをその周囲の対向ローラ１６等を省略して概略的に示す斜視図である。
【図１１】図１０の加熱ドラムのフィルム加熱前及び加熱時における幅方向の温度分布を示す図である。
【図１２】図１乃至図６の画像記録装置１００の制御系及び画像データの流れを示すブロック図である。
【図１３】本実施の形態の画像記録装置の動作を説明するためのフローチャートである。
【図１４】本実施の形態の画像記録装置の別の動作を説明するためのフローチャートである。
【符号の説明】
【０１０１】
１００ 画像記録装置
５ 搬送部
１１，１２ 第１，第２の装填部
１２ 装填部
１４ 加熱ドラム
１２０ 露光部
１３０ 熱現像部
１５２ 制御部
３０１，３０２ 医用画像生成装置
３０３ ＤＩＣＯＭネットワーク
Ｆ フィルム
Ｍ メモリ
Ｔ１，Ｔ２ 温度センサ
Ｗ 幅方向
ＷＡ 小フィルム接触領域
ＷＢ 大フィルム接触領域
ｓ 画像信号
【図１】
2005165103.tif 000003
【図２】
2005165103.tif 000004
【図３】
2005165103.tif 000005
【図４】
2005165103.tif 000006
【図５】
2005165103.tif 000007
【図６】
2005165103.tif 000008
【図７】
2005165103.tif 000009
【図８】
2005165103.tif 000010
【図９】
2005165103.tif 000011
【図１０】
2005165103.tif 000012
【図１１】
2005165103.tif 000013
【図１２】
2005165103.tif 000014
【図１３】
2005165103.tif 000015
【図１４】
2005165103.tif 000016